(57)【要約】【課題】  ロウ受けやピンに固着したロウを簡単にしかも綺麗に取ることができ、余計なゴミがでないロウソクのロウ受けを提供する【解決手段】  中心部に形成されロウソク立て６のピン８が挿通する貫通穴２０と、裏面側に設けられピン８が挿通される支持部２２と、貫通穴２０の下方のピン８の側面に形成された突起部１６とを備える。支持部２２には、突起部１６に係合する切り込み２４が形成され、切り込み２４は支持部２２の下端から垂直方向に形成された垂直部２４ａと、垂直部２４ａの上部から側方に切り込まれているとともに僅かに下方に傾斜した傾斜部２４ｂとから成る。【選択図】図１
2006012718.tif 000002
【特許請求の範囲】
【請求項１】
中心部にピンを有したロウソク立てに設けられ、このロウソク立てに立てられたロウソクの溶けたロウを受けるロウ受けにおいて、前記ロウ受け中心部に形成され前記ロウソク立てのピンが挿通する貫通穴と、前記ロウ受けの裏面側に一体に設けられ前記ピンが挿通される支持部と、この支持部を前記ピンに対して移動可能に且つ所定位置で固定する係止手段とを備えたことを特徴とするロウソクのロウ受け。
【請求項２】
前記ピンは、前記ロウ受けの貫通穴と接する箇所は、前記貫通穴の径とほぼ等しい径の円柱状にあり、前記貫通穴の上方の一部は、横断面が異形状に形成されていることを特徴とする請求項１記載のロウソクのロウ受け。
【請求項３】
前記係止手段は、前記貫通穴の下方の前記ピンの側面に形成された突起部と、前記支持部に形成され前記突起部に係合する切り込みとから成り、この切り込みは前記支持部の下端から垂直方向に形成された垂直部と、この垂直部の上部から側方に切り込まれているとともに僅かに下方に傾斜した傾斜部とからな成ることを特徴とする請求項１または２記載のロウソクのロウ受け。
【発明の詳細な説明】
【技術分野】
【０００１】
この発明は、お墓等に設けられたロウソク立てのロウ受けに関する。
【背景技術】
【０００２】
従来、お墓や神社、お寺、又は家庭での各種行事にロウソクが使用されている。このロウソクは、使用しているとロウソクのロウが溶けて垂れてくる。この垂れたロウは、使用後に燃え残りとしてロウソクを立てた台や周辺に残り、固着する。お墓等では、次に使うまでに、固着したロウをへらや先の尖った物で突き剥がすなどして取り除いており、非常に面倒なものである。また、アルミホイルなどの金属箔によりロウ受け具を包むように覆い、そこにロウソクを立てて使用する場合もある。この場合は、使用後、ロウ受け具を覆っていたアルミホイルを取り除き、アルミホイルに固着したロウとともに処分している。
【０００３】
その外、特許文献１では、ロウを受ける器具をロウソクの使用前に、ロウソク立てなどの受け具に装着するものが提案されている。さらに、特許文献２では、ロウソクを立てるピンに特殊な器具を取り付けてロウソクから垂れ固着したロウを掻き取ることが提案されている。
【特許文献１】特開平０９−２５２９２３号公報
【特許文献２】特開平０７−７３７２９号公報
【発明の開示】
【発明が解決しようとする課題】
【０００４】
上記従来の技術の、固着したロウをへらや先の尖った物で突き剥がす場合、ロウ受けに固着したロウを取り除く際に、必要以上に力を加えすぎて、ロウ受けを傷つけたり壊したりする可能性があり、怪我をする恐れもある。また、苦労して剥がしても、取り残しが発生しやすいものである。一方、アルミホイルなどを用いる方法では、ロウ受けを金属箔で覆う作業が面倒であり、ロウソクを挿着するピンの尖った先により怪我をする可能性があり、見栄えもよいものではない。
【０００５】
また、特許文献１に開示されたものは、一般に行われているアルミホイルなどを使用する方法より、容易にロウを除去できるが、見栄えをよくするため器具の厚さが薄く、綺麗にロウを除去するには十分な強度を得ることが難しい。また、ロウが固着した受け具は、ロウと一緒に処分するため、ゴミの量を増やすことになる問題がある。一方、特許文献２に開示されたものは装置が複雑であり、例えば、お墓のロウソク立て等の小さなロウ受けに合うようなものを作るには、手間とコストがかかるものとなってしまう。さらに、ピンから摺動しながら固着したロウを掻き取るため、ピンを傷めてしまう可能性があるし、装置に固着したロウを取り除く作業が面倒である。
【０００６】
この発明は、上記従来の技術に鑑みて成されたもので、ロウ受けやピンに固着したロウを簡単にしかも綺麗に取ることができ、余計なゴミがでないロウソクのロウ受けを提供することを目的とする。
【課題を解決するための手段】
【０００７】
この発明は、中心部にピンを有したロウソク立てに設けられ、このロウソク立てに立てられたロウソクの溶けたロウを受けるロウ受けであって、前記ロウ受け中心部に形成され前記ロウソク立てのピンが挿通する貫通穴と、前記ロウ受けの裏面側に一体的に設けられ前記ピンが挿通される支持部と、この支持部を前記ピンに対して移動可能に且つ所定位置で固定する係止手段とを備えたロウソクのロウ受けである。
【０００８】
前記ピンは、前記ロウ受けの貫通穴と接する箇所は、前記貫通穴の径とほぼ等しい径の円柱状にあり、前記貫通穴の上方の一部は、横断面が異形状に形成されている。
【０００９】
また、前記係止手段は、前記貫通穴の下方の前記ピンの側面に形成された突起部と、前記支持部に形成され前記突起部に係合する切り込みとから成り、この切り込みは前記支持部の下端から垂直方向に形成された垂直部と、この垂直部の上部から側方に切り込まれているとともに僅かに下方に傾斜した傾斜部とから成る。
【発明の効果】
【００１０】
この発明のロウソクのロウ受けによれば、ロウソクのロウ受けやロウソクを挿通させるピンに固着したロウを簡単にしかも綺麗に取ることができ、ロウがロウ受けから綺麗に剥離するため、余分なゴミがでないものである。
【発明を実施するための最良の形態】
【００１１】
以下、この発明のロウソクのロウ受けの一実施形態について、図１〜図９に基づいて説明する。この実施形態は、図１に示すように、お墓などに設けられたロウソク立て６であって、ロウソク４を立てるためのピン８が石などで作られた土台１０に立設されている。立設したピン８は、土台１０からの突出部分１２が円柱状をしており、ピン８の先端側は、長手方向に細い円錐状に成形され、先端は僅かに丸められている。土台１０から突出したピン８の円柱状の側面には、一対の突起部１６が設けられ、円柱部と円錐部の境界部分は、ピン８の水平断面が四角形を成すように異形状の四角柱部１８が成形されている。
【００１２】
ピン８には貫通穴２０を有した皿状のロウ受け２が挿着されており、そのロウ受け２の支持部２２には切り込み２４が設けられている。この切り込み２４は、支持部２２の下端から垂直に切り込まれた垂直部２４ａと、この垂直部２４ａの上部から側方に切り込まれているとともに僅かに下方に傾斜した傾斜部２４ｂとから成る。そして、この切り込み２４に、ピン８の突起部分１６が嵌合している。
【００１３】
この実施形態におけるロウソク４のロウ受け２の使用方法は、まず、図４に示すように、土台１０に設けられたピン８にロウ受け２を挿着し、ロウ受け２の切り込み２４に突起部１６を合わせて、突起部１６が垂直部２４ａから傾斜部２４ｂの端部に位置するように回転する。次に、ロウソク４をピン８に刺して挿着する。そして、図５のようにロウソク４を燃やすと、垂れたロウ２６がロウ受けに溜まる。
【００１４】
ロウソク４を燃やしたあとは、図６のように、ロウソク４を取り外し、ロウ受け２を支持部２２の切り込み２４にピン８の突起１６が沿うようにロウ受け２を回転させる。すると、図２に示すように、ロウ受け２に溜まったロウ２６は、図３のようにピン８の四角柱部１８によりピン８との接触部分が破壊され剥離する。さらに、ロウ受け２の回転により、ロウ受け２が傾斜部２４ｂに沿って僅かに下降するとともに、ロウ２６は、ピン８の円錐部により保持され、ロウ受け２がロウ２６から離れる。これにより、ロウ受け２内のロウ２６は何処にも付着していない状態となる。最後に、図７に示すように、ロウ受け２をピン８から取り外し、剥離したロウ２６を捨てる。
【００１５】
この実施形態におけるロウソク４のロウ受け２によれば、ロウソク４から垂れてロウ受け２に溜まったロウ２６を、容易且つ綺麗に分離させることができ、溜まったロウ２６だけを捨てることが可能である。そのほか、余分なゴミが発生しないため、ゴミの削減にもなる。さらに、ピン８にロウ受け２の支持部２２を被せるように挿着するため、風などに飛ばされにくく、しっかり挿着できる。
【００１６】
また、ロウ受け２を挿着するピン８の形状は、図８のように、ロウ受け２の上方に位置する部分の形状を、ピン８の先端からロウ受け２の底部までテーパ状としても良く、これによりロウ２６のピン８からの剥離がより容易になる。
【００１７】
このロウソク４のロウ受け２は、図８に示すように、ロウ受け２をピン８に取り付ける係止手段であるロウ受け２の土台取付部分が、水平方向に分割されている。ロウ受け２側の支持部３４の底部には複数の突起３０が設けられ、突起３０と嵌合する凹部３２が、土台１０に固定された取付部３６に設けられている。支持部３４及び取付部３６の中心部には、ピン８の挿通孔が形成され、ロウ受け２を挿通して装着する。
【００１８】
この場合、ロウソク４を立てるときは、ロウ受け２の突起３０は取付部３６の上面に当接させておく。そして、ロウ受け２内のロウを取り除く際には、ロウ受け２を回転させて突起３０を凹部３２内に嵌合させ、ロウ受け２を僅かに下げる。このときロウは、ピン８のテーパ状部分に付着しており、ロウはピン８に付いて残る。これにより、ロウ受け２の内面とロウの縁が切られる。この後、ロウ受け２を引き上げることにより、容易にロウがピン８から外れ、捨てることができる。
【００１９】
また、ロウ受け２の底と接するピン８の側面形状や断面形状は、適宜選択可能なものであり、図９に示すように、ロウ受け２の底に位置するピン８の側面に、ロウ受けの底と面一な段差面２８が成形されていてもよい。これにより、ロウ受け２を下げた際にも確実にロウがピン８に付いて残る。さらに、ピン８のロウ受け２内の形状を、横断面が真円ではない楕円や、多角形、その他異形状にすることにより、回転によるロウの剥離が可能となり、その形状は適宜設定し得る。
【００２０】
なお、この発明のロウソクのロウ受けの材質及び大きさ、突起の数は、使用するロウソクの大きさや使用環境や用途に合わせて適宜選択可能なものである。
【図面の簡単な説明】
【００２１】
【図１】この発明の一実施形態のロウ受けを挿着した状態を示す概略斜視図である。
【図２】この実施形態のロウ受け内にロウが溜まった状態を示す縦略断面図（ａ）と、ピンの突起部の横断面図（ｂ）である。
【図３】この実施形態のロウ受けを回転しロウを剥離した状態を示す縦略断面図（ａ）と、ピンの突起部の横断面図（ｂ）である。
【図４】この実施形態のロウソクとロウ受けの装着を示す概略斜視図である。
【図５】この実施形態のロウ受けにロウが溜まる様子を示す概略斜視図である。
【図６】この実施形態のロウ受けを回しロウを剥離する様子を示す概略斜視図である。
【図７】この実施形態のロウ受けを外し、ロウを捨てる様子を示す概略斜視図である。
【図８】この発明の他の実施形態の、ロウ受けとピンの係止部及びピンの形状の変形例を示すもので、Ａ−Ａ断面図（ａ）とピンの突起部の横断面図（ｂ）である。
【図９】この発明のさらに他の実施形態の、ロウ受けとピンの係止部及びピンの形状の変形例を示すもので、Ｂ−Ｂ断面図（ａ）と、ピンの突起部の横断面図（ｂ）である。
【符号の説明】
【００２２】
２  ロウ受け
４  ロウソク
６  ロウソク立て
８  ピン
１０  土台
１６  突起部
１８  四角柱部
２０  貫通穴
２２  支持部
２４  切り込み
２６  ロウ
【図１】
2006012718.tif 000003
【図２】
2006012718.tif 000004
【図３】
2006012718.tif 000005
【図４】
2006012718.tif 000006
【図５】
2006012718.tif 000007
【図６】
2006012718.tif 000008
【図７】
2006012718.tif 000009
【図８】
2006012718.tif 000010
【図９】
2006012718.tif 000011